(57)【特許請求の範囲】
【請求項１】
前身頃と胴周り方向へ分かれる第１および第２後身頃とを備えた身頃本体と、前記身頃本体の両肩に連結された両袖とからなる背側閉じ合わせ型の使い捨て手術用外衣において、
前記外衣では、前記第１および第２後身頃が互いに離間するように前記胴周り方向へ展開されるとともに前記前身頃の側へ向かって折り返され、それら後身頃の縦方向へ延びる自由縁部が前記前身頃の外面の側に位置し、
前記自由縁部どうしをつなぐテープ部材が、該自由縁部の縦方向中央域に位置して前記胴周り方向へ延び、前記テープ部材の両側部が、前記自由縁部に固着され、前記テープ部材を前記胴周り方向へ分離させることが可能なミシン線が、前記両側部の間を前記縦方向へ延びていることを特徴とする前記手術用外衣。
【請求項２】
前記テープ部材が、前記両側部の間を前記胴周り方向へ延びる中央部を有し、前記中央部を前記両側部から切り取ることが可能な２条の前記ミシン線が、前記中央部の両側に延びている請求項１記載の手術用外衣。
【請求項３】
前記外衣が、前記第１および第２後身頃の閉じ合わせを維持するための互いに係脱可能な被係合部材と係合部材とを備え、前記被係合部材が、前記身頃本体の縦方向中央域における所要の部位に取り付けられ、前記係合部材が、前記テープ部材の両側部の一方に取り付けられている請求項１または請求項２に記載の手術用外衣。
【請求項４】
前記被係合部材が、メカニカルファスナのうちのフック部材とループ部材とのいずれか一方であり、前記係合部材が、それらの他方である請求項１ないし請求項３いずれかに記載の手術用外衣。
【発明の詳細な説明】
【０００１】
【発明の属する技術分野】
本発明は、背側閉じ合わせ型の使い捨て手術用外衣に関する。
【０００２】
【従来の技術】
特開平６−２０７３０１号公報は、前身頃と胴周り方向へ分かれる第１および第２後身頃とを備えた身頃本体と、身頃本体の両肩に取り付けられた両袖とから形成され、第１および第２後身頃の閉じ合わせを維持するための第１および第２帯片を有する背側閉じ合わせ型の使い捨て手術用外衣を開示している。この外衣では、左右いずれか一方の胴横から背側にかけての範囲に第１および第２帯片の一端が連結され、左右いずれか他方の胴横から背側にかけての範囲に第１帯片を挿通可能な帯通しが形成されている。第１および第２後身頃の襟刳りには、互いに係脱可能なフック部材とループ部材とが取り付けられている。この外衣は、医師や看護婦等の着用者が手術時に着用する。
【０００３】
【発明が解決しようとする課題】
前記外衣を着用するには、着用者が第１および第２後身頃を互いに離間させるように胴周り方向へ展開させて身頃本体の背側を開き、両腕を外衣の両袖に通した後、第１および第２後身頃を重ね合わせて背側を閉じる。着用者は、第１帯片を帯通しに通した後、第１帯片と第２帯片との自由端部を結び、フック部材とループ部材とを係合させて襟刳りを閉じる。この外衣では、両腕を両袖に通すときに、第１および第２後身頃を胴周り方向へ展開しなければならず、その分、手間を要する。また、この外衣では、第１および第２後身頃を展開させるときに、滅菌されていない着用者の衣服や肌がそれら後身頃の外面に接触し、外衣の外面に雑菌が付着してしまう場合がある。
【０００４】
本発明の課題は、着用時に第１および第２後身頃を互いに離間させるように胴周り方向へ展開させる必要はなく、それら後身頃の外面に対する着用者の衣服や肌の接触を防ぐことができる背側閉じ合わせ型の使い捨て手術用外衣を提供することにある。
【０００５】
【課題を解決するための手段】
前記課題を解決するための本発明の前提は、前身頃と胴周り方向へ分かれる第１および第２後身頃とを備えた身頃本体と、前記身頃本体の両肩に連結された両袖とからなる背側閉じ合わせ型の使い捨て手術用外衣である。
【０００６】
かかる前提における本発明の特徴として、前記外衣では、前記第１および第２後身頃が互いに離間するように前記胴周り方向へ展開されるとともに前記前身頃の側へ向かって折り返され、それら後身頃の縦方向へ延びる自由縁部が前記前身頃の外面の側に位置し、前記自由縁部どうしをつなぐテープ部材が、該自由縁部の縦方向中央域に位置して前記胴周り方向へ延び、前記テープ部材の両側部が、前記自由縁部に固着され、前記テープ部材を前記胴周り方向へ分離させることが可能なミシン線が、前記両側部の間を前記縦方向へ延びていることにある。
【０００７】
本発明の実施の態様の一例としては、前記テープ部材が、前記両側部の間を前記胴周り方向へ延びる中央部を有し、前記中央部を前記両側部から切り取ることが可能な２条の前記ミシン線が、前記中央部の両側に延びている。
【０００８】
本発明の実施の態様の他の一例としては、前記外衣が、前記第１および第２後身頃の閉じ合わせを維持するための互いに係脱可能な被係合部材と係合部材とを備え、前記被係合部材が、前記身頃本体の縦方向中央域における所要の部位に取り付けられ、前記係合部材が、前記テープ部材の両側部の一方に取り付けられている。
【０００９】
本発明の実施の態様の他の一例としては、前記被係合部材が、メカニカルファスナのうちのフック部材とループ部材とのいずれか一方であり、前記係合部材が、それらの他方である。
【００１０】
【発明の実施の形態】
添付の図面を参照し、本発明に係る背側閉じ合わせ型の使い捨て手術用外衣の詳細を説明すると、以下のとおりである。
【００１１】
図１，２は、前身頃５の側から示す手術用外衣１Ａの斜視図と、背側から示す外衣１Ａの斜視図とであり、図３は、図１のＡ−Ａ線端面図である。図１，２では、胴周り方向を矢印Ｘで示し、縦方向を矢印Ｙで示す。なお、前身頃５や第１および第２後身頃６ａ，６ｂにおける内面とは、外衣１Ａを着用した着用者の肌に対向する面をいい、それら身頃５，６ａ，６ｂの外面とは、着用者の肌に非対向の面をいう。外衣１Ａは、医師や看護婦等の着用者が手術時に着用する。
【００１２】
外衣１Ａは、縦方向へ長い身頃本体２と、身頃本体２の両肩３に取り付けられた両袖４とから構成されている。身頃本体２は、前身頃５と、胴周り方向へ分かれる第１および第２後身頃６ａ，６ｂとを有する。
【００１３】
身頃本体２では、縦方向へ延びる前身頃５の両側部７ａ，７ｂと縦方向へ延びる第１および第２後身頃６ａ，６ｂの固定側部８ａ，８ｂとが固着され、前身頃５と第１および第２後身頃６ａ，６ｂとが一体になっている。身頃本体２の両肩３の間には、襟刳り９が形成されている。
【００１４】
両袖４は、袖付け１１から袖口１０へ向かって先細りのものであり、袖付け１１の周縁部が身頃本体２の袖刳り１２の周縁部に固着されている。袖口１０には、その周り方向へ伸縮するカフス１３が取り付けられている。
【００１５】
外衣１Ａでは、第１および第２後身頃６ａ，６ｂが互いに離間するように胴周り方向へ展開されるとともに、前身頃５の側へ向かって折り返されている。外衣１Ａでは、それら後身頃６ａ，６ｂの縦方向へ延びる自由縁部１４ａ，１４ｂが前身頃５の外面の側に位置している。
【００１６】
第１および第２後身頃６ａ，６ｂの自由縁部１４ａ，１４ｂの間には、自由縁部１４ａ，１４ｂ１４どうしをつなぐテープ部材１５が胴周り方向へ延びている。テープ部材１５は、第１および第２後身頃６ａ，６ｂの自由縁部１４ａ，１４ｂの縦方向中央域に位置し、一方の側部１５ａの一部が第１後身頃６ａの自由縁部１４ａに固着され、他方の側部１５ｂの一部が第２後身頃６ｂ自由縁部１４に固着されている。
【００１７】
テープ部材１５の両側部１５ａ，１５ｂの間には、テープ部材１５を胴周り方向へ分離させることが可能なミシン線１６が縦方向へ延びている。外衣１Ａでは、第１および第２後身頃６ａ，６ｂを前身頃５の側へ折り返した状態（身頃本体２の背側を胴周り方向へ開いた状態）がテープ部材１５によって維持されている。
【００１８】
テープ部材１５の側部１５ｂには、メカニカルファスナのうちのフック部材１７が取り付けられている。前身頃５の側部７ａにおける縦方向中央域には、フック部材１７を係脱可能に係合させるループ部材１８が取り付けられている。第１後身頃６ａの上部には、フック部材１９が取り付けられている。第２後身頃６ｂの上部には、フック部材１９を係脱可能に係合させるループ部材２０が取り付けられている。
【００１９】
図４，５，６は、図１の外衣１Ａの着用手順の説明図である。外衣１Ａを着用するには、着用者がその両腕を外衣１Ａの両袖４に通した後、図４に示すように、テープ部材１５の両側部１５ａ，１５ｂを指で摘持してテープ部材１５をミシン線１６において切り離し、それを胴周り方向へ分離させる。
【００２０】
着用者は、図５に示すように、テープ部材１５の両側部１５ａ，１５ｂを摘持しつつ、第１および第２後身頃６ａ，６ｂを前身頃５の側から背側へ回す。着用者は、図６に示すように、テープ部材１５の側部１５ｂを摘持しつつ、背側において第２後身頃６ｂの自由縁部１４ｂを第１後身頃６ａの自由縁部１４ａの外側に重ね合わせ、フック部材１７とループ部材１８とを係合させて背側を閉じる。その後、着用者は、フック部材１９とループ部材２０とを係合させて襟刳り９を閉じる。
【００２１】
図７，８は、前身頃５の側から示す他の実施の形態の手術用外衣１Ｂの斜視図と、図７のＢ−Ｂ線断面図とである。図７に示す外衣が図１のそれと異なる点は、以下のとおりである。
【００２２】
この外衣１Ｂにおける身頃本体２は、前身頃５と第１および第２後身頃６ａ，６ｂとが一連につながったものである。外衣１Ｂでは、テープ部材１５が第１および第２後身頃６ａ，６ｂの自由縁部１４ａ，１４ｂの縦方向中央域に位置し、自由縁部１４ａ，１４ｂの間を胴周り方向へ延びている。
【００２３】
テープ部材１５は、第１および第２後身頃６ａ，６ｂの自由縁部１４ａ，１４ｂの側に延びる両側部１５ａ，１５ｂと、両側部１５ａ，１５ｂの間に延びる中央部１５ｃとを有する。両側部１５ａ，１５ｂは、その一部が自由縁部１４ａ，１４ｂに固着されている。中央部１５ｃの両側には、両側部１５ａ，１５ｂから中央部１５ｃを切り取ることが可能な２条のミシン線１６ａ，１６ｂが縦方向へ延びている。
【００２４】
図９，１０，１１，１２は、図７の外衣１ｂの着用手順の説明図である。外衣１Ｂを着用するには、着用者がその両腕を外衣１Ｂの両袖４に通した後、図９に示すように、着用者がテープ部材１５の側部１５ａと中央部１５ｃとを指で摘持し、一方のミシン線１６ａにおいて側部１５ａと中央部１５ｃとを切り離す。着用者は、図１０に示すように、テープ部材１５の両側部１５ａ，１５ｂを摘持しつつ、第１および第２後身頃６ａ，６ｂを前身頃５の側から背側へ回す。
【００２５】
着用者は、図１１に示すように、切り離されたテープ部材１５の中央部１５ｃを介助者に渡す。介助者は、テープ部材１５の中央部１５ｃを指で摘持しつつ、第２後身頃６ｂを着用者の背側へ回した後、中央部１５ｃにつながる側部１５ｂを着用者に摘持させる。着用者と介助者とは、彼らが摘持する側部１５ｂと中央部１５ｃとを他方のミシン線１６ｂにおいて切り離す。
【００２６】
着用者は、図１２に示すように、テープ部材１５の側部１５ｂを摘持しつつ、背側において第２後身頃６ｂの自由縁部１４ｂを第１後身頃６ａの自由縁部１４ａの外側に重ね合わせ、フック部材１７とループ部材１８とを係合させて背側を閉じる。その後、介助者は、フック部材１９とループ部材２０とを係合させて襟刳り９を閉じる。両側部１５ａ，１５ｂから切り離されたテープ部材１５の中央部１５ｃは、介助者によってそのまま廃棄される。
【００２７】
それら図示例の外衣１Ａ，１Ｂでは、身頃本体２の背側があらかじめ胴周り方向へ開かれているので、着用者がその両腕を外衣１Ａ，１Ｂの両袖４に通すときに、第１および第２後身頃６ａ，６ｂを互いに離間させるように胴周り方向へ展開させる必要はなく、その分、手間を省くことができる。
【００２８】
また、それら外衣１Ａ，１Ｂでは、図１，７に示すように、第１および第２後身頃６ａ，６ｂが前身頃５の側へ向かって折り返されており、外衣１Ａ，１Ｂの着用中とは逆に、前身頃５とそれら後身頃６ａ，６ｂとの外面が互いに対向し、前身頃５とそれら後身頃６ａ，６ｂとの内面が外衣１Ａ，１Ｂの外側に向いている。ゆえに、外衣１Ａ，１Ｂでは、その着用時に、前身頃５や第１および第２後身頃６ａ，６ｂの外面に対する着用者の衣服や肌の接触を防ぐことができる。
【００２９】
それら外衣１Ａ，１Ｂには、熱可塑性合成樹脂繊維からなる疎水性繊維不織布、疎水性繊維不織布を重ね合わせた２層の不織布、または、可撓性かつ通気不透液性の熱可塑性合成樹脂フィルムを疎水性繊維不織布で挟んだ複合シートを使用することができる。
【００３０】
不織布としては、スパンレース、ニードルパンチ、メルトブローン、サーマルボンド、スパンポンド、ケミカルボンド等の各製法により製造されたものを使用することができる。不織布には、高い耐水性を有するメルトブローン不織布を高い強度を有しかつ柔軟性に富んだスパンボンド不織布で挟んだ複合不織布を使用することもできる。
【００３１】
不織布の構成繊維としては、ポリオレフィン系、ポリエステル系、ポリアミド系、の各繊維、ポリエチレン／ポリプロピレンやポリエチレン／ポリエステルからなる芯鞘型複合繊維またはサイドバイサイド型複合繊維を使用することができる。不織布には、開繊パルプやレーヨン、アセテート等のセルロース系繊維が混合されていてもよい。
【００３２】
テープ部材１５としては、ポリエチレン、ポリプロピレン、ポリエチレンテレフタレート、ポリエステル等から形成された可撓性のプラスチックシートを使用することができる。
【００３３】
前身頃５と第１および第２後身頃６ａ，６ｂとの固着、テープ部材１５の固着、フック部材１７，１９やループ部材１８，２０の取り付けには、ホットメルト接着剤、または、ヒートシールや超音波接合等の熱による固定手段を利用することができる。
【００３４】
外衣１Ａ，１Ｂは、着用者の体型を考慮してあらかじめＳ、Ｍ、Ｌ、ＬＬ等のサイズのものが用意され、滅菌袋に収納された後、エチレンオキシド等の有機気化薬品による滅菌処理、または、電子線や放射線による滅菌処理が行われる。
【００３５】
【発明の効果】
本発明に係る使い捨て手術用外衣によれば、第１および第２後身頃を前身頃の側へ折り返した状態（身頃本体２の背側を胴周り方向へ開いた状態）がテープ部材によって維持され、外衣の着用時に、着用者が第１および第２後身頃を互いに離間させるように胴周り方向へ展開させる必要はなく、その分、手間を省くことができる。
【００３６】
また、外衣では、第１および第２後身頃が前身頃の側へ向かって折り返されており、外衣の着用中とは逆に、前身頃とそれら後身頃との内面が外衣の外側に向いているので、外衣の着用時に、前身頃や第１および第２後身頃の外面に対する着用者の衣服や肌の接触を防ぐことができ、外衣の外面が雑菌によって汚染されることを防ぐことができる。
【図面の簡単な説明】
【図１】前身頃の側から示す使い捨て手術用外衣の斜視図。
【図２】後身頃の側から示す外衣の斜視図。
【図３】図１のＡ−Ａ線断面図。
【図４】図１の外衣の着用手順の説明図。
【図５】図１の外衣の着用手順の説明図。
【図６】図１の外衣の着用手順の説明図。
【図７】前身頃の側から示す他の実施の形態の手術用外衣の斜視図。
【図８】図６のＢ−Ｂ線断面図。
【図９】図６の外衣の着用手順の説明図。
【図１０】図６の外衣の着用手順の説明図。
【図１１】図６の外衣の着用手順の説明図。
【図１２】図６の外衣の着用手順の説明図。
【符号の説明】
１Ａ            使い捨て手術用外衣
１Ｂ            使い捨て手術用外衣
２              身頃本体
３              両肩
４              両袖
５              前身頃
６ａ            第１後身頃
６ｂ            第２後身頃
１４ａ            自由縁部
１４ｂ            自由縁部
１５              テープ部材
１５ａ            側部
１５ｂ            側部
１５ｃ            中央部
１６              ミシン線
１６ａ            ミシン線
１６ｂ            ミシン線
１７              フック部材
１８              ループ部材
【図１】
0003691396.tif 000002
【図２】
0003691396.tif 000003
【図３】
0003691396.tif 000004
【図４】
0003691396.tif 000005
【図５】
0003691396.tif 000006
【図６】
0003691396.tif 000007
【図７】
0003691396.tif 000008
【図８】
0003691396.tif 000009
【図９】
0003691396.tif 000010
【図１０】
0003691396.tif 000011
【図１１】
0003691396.tif 000012
【図１２】
0003691396.tif 000013